(57)【要約】【課題】感電する危険性がなく、湿度の高い環境などでも使用可能であり、製作コストが低く、使用中に音が発生せず、蚊などを取る範囲がもっと広くなる、蚊取りランプを提供する。【解決手段】本考案の蚊取りランプは、台座の上端面に一発光源が設けてあり、前記発光源の外周には一透明カバーが覆っており、且つ前記透明カバーの表面には一透明粘着層が設けてあり、これにより、蚊などは、発光源に誘惑され近づいて、透明粘着層に取られる。【選択図】　　図３
0003096960.tif 000002
【実用新案登録請求の範囲】
【請求項１】
台座の上端面には一発光源が設けてあり、前記発光源の外周には一透明カバーが覆っており、且つ前記透明カバーの表面には一透明粘着層が設けてあり、これにより、蚊などは、発光源に誘惑され近づいて、透明粘着層に取られることを特徴とする、蚊取りランプ。
【請求項２】
該当台座は、交流電源を使用してもよいことを特徴とする、請求項１に記載の蚊取りランプ。
【請求項３】
該当台座は、直流電源を使用してもよいことを特徴とする、請求項１に記載の蚊取りランプ。
【請求項４】
該当透明粘着層は、透明カバーに直接貼り付けるために、シート状を呈してもよいことを特徴とする、請求項１に記載の蚊取りランプ。
【請求項５】
該当透明粘着層は、面ファスナーにより透明カバーの表面に取り付けてもよいことを特徴とする、請求項１に記載の蚊取りランプ。
【請求項６】
該当透明粘着層は、固定リングにより透明カバーの表面に取り付けてもよいことを特徴とする、請求項１に記載の蚊取りランプ。
【請求項７】
該当透明粘着層は、透明カバーの表面に直接塗布し、使用された後、前記透明粘着層を洗浄して除去してから、再び新しい透明粘着層を透明カバーの表面に直接塗布して使用することを何回繰り返してもよいことを特徴とする、請求項１に記載の蚊取りランプ。
【請求項８】
台座の上端面には一発光源が設けてあり、前記発光源の外周には、粘着層を付けた一透明紙が覆っていることを特徴とする、蚊取りランプ。
【考案の詳細な説明】
【０００１】
【考案の属する技術分野】
本考案は蚊取りランプに係り、特に蚊などを取る効果が更に向上され、安全性と実用性と便利性とがより向上した蚊取りランプに関する。
【０００２】
【従来の技術】
われわれの生活環境の周りには蚊が存在し、耳のそばに飛んでいる蚊が騒音を発して就寝中のわれわれを起こすことがよくあり、且つメスの蚊は動物の血液を食べ物とし、血液が蚊に吸われた後、皮膚は膨らんで極めて痒くなるので、蚊はわれわれの生活に迷惑を掛けることがよくあった。更に、多種の病気が蚊を媒介として伝染するので、感染された後の治療が効果的でないと、死亡事件に繋がる可能性があり、蚊はわれわれにとって極めて危険な存在であった。
【０００３】
よって、色々な蚊取り用具、例えば、殺虫剤や蚊取り線香や蚊取りラケットや蚊取りランプなどが市販されている。しかしながら、殺虫剤および蚊取り線香は、発生したガスが蚊などを殺すが、人体の健康にも悪影響を与え、且つ長期に使用すると、蚊などはそれらの薬剤に対する抗体性を生じるため、それらの薬剤が無効になった。また、使用者が蚊取りラケットを振らないと、蚊などを取ることができないため、使用は極めて不便であり、且つ効果が少ない。また、蚊取りランプは、発光源の外周に高電圧の網を設け、蚊などが明るい処へ飛んで行く特性を利用し、蚊などを誘惑して取るため、使用が極めて便利であり、蚊取り効果も大きいので、蚊取りランプが使用者に多く採用されている。
【０００４】
【考案が解決しようとする課題】
しかしながら、従来の蚊取りランプには次のような欠点があった。
（イ）従来の蚊取りランプは、発光源の外周に設けられた高電圧の網により蚊などを殺すため、湿度の高い環境では、高電圧網がショートして使用不能になることがあったので、設置できる場所には制限があった。
【０００５】
（ロ）従来の蚊取りランプは、発光源の外周に設けられた高電圧の網により蚊などを殺すため、使用者（特に、児童）が誤って高電圧網に接触すると、感電する危険性があった。
【０００６】
（ハ）従来の蚊取りランプの構造では、使用者が誤って高電圧網に接触して感電することを回避するために、高電圧網の外周に、一般に隙間の小さい邪魔網が設けられているが、そうすると、発光源から発射した光線が大幅に阻まれ、蚊などを誘惑する効果が低下し、且つ邪魔網の隙間が小さいので、蚊などが邪魔網に当たり易く、逃げられることが頻発し、蚊取り効果が低下してしまう。
【０００７】
（ニ）従来の蚊取りランプは、発光源の外周に設けられた高電圧の網により蚊などを殺すため、高電圧網と高電圧供給部材との設置コストが高くなり、且つ電気の消費も多いため、使用者にとってのランニングコストも極めて高い。
【０００８】
（ホ）従来の蚊取りランプは、発光源の外周に設けられた高電圧の網により蚊などを殺すため、蚊などが高電圧網に接触して電流がショートする際には、音が発生し、寝ている使用者はその音に起こされることがよくあった。
【０００９】
【課題を解決するための手段】
上記課題を解決するためになされた本願の請求項１は、台座の上端面には一発光源が設けてあり、前記発光源の外周には一透明カバーが覆っており、且つ前記透明カバーの表面には一透明粘着層が設けてあり、これにより、蚊などは、発光源に誘惑され近づいて、透明粘着層に取られることを特徴とする蚊取りランプであることを要旨としている。
【００１０】
本願の請求項２では、該当台座は、交流電源を使用してもよいことを特徴とする請求項１に記載の蚊取りランプであることを要旨としている。
【００１１】
本願の請求項３では、該当台座は、直流電源を使用してもよいことを特徴とする請求項１に記載の蚊取りランプであることを要旨としている。
【００１２】
本願の請求項４では、該当透明粘着層は、透明カバーに直接に貼り付けるために、シート状を呈してもよいことを特徴とする請求項１に記載の蚊取りランプであることを要旨としている。
【００１３】
本願の請求項５では、該当透明粘着層は、面ファスナーである例えばマジックテープ（登録商標）により透明カバーの表面に取り付けてもよいことを特徴とする請求項１に記載の蚊取りランプであることを要旨としている。
【００１４】
本願の請求項６では、該当透明粘着層は、固定リングにより透明カバーの表面に取り付けてもよいことを特徴とする請求項１に記載の蚊取りランプであることを要旨としている。
【００１５】
本願の請求項７では、該当透明粘着層は、透明カバーの表面に直接塗布し、使用された後、前記透明粘着層を洗浄して除去してから、再び新しい透明粘着層を透明カバーの表面に直接塗布して使用することを何回繰り返してもよいことを特徴とする請求項１に記載の蚊取りランプであることを要旨としている。
【００１６】
本願の請求項８では、台座の上端面には一発光源が設けてあり、前記発光源の外周には、粘着層を付けた一透明紙が覆っていることを特徴とする蚊取りランプであることを要旨としている。
【００１７】
【考案の実施の形態】
まず、図１と図２を参照する。本考案に係る蚊取りランプは、交流電源と直流電源とを備え、使用者は何れかを選択して使用できる一台座１を有し、前記台座１の上端面には発光源２が設けてあり、前記発光源２は図１に示すようなＰＬラップでもいいし、または、図２に示すように、電源ケーブル２２が挿通した保持ロッド２１により蛍光灯を保持してもよく、なお、発光源２の外周には透明カバー３が覆っており、且つ前記透明カバー３の表面には透明粘着層４を設けている。
【００１８】
前記透明粘着層４は、透明カバー３の表面に直接に塗布し、使用された後、前記透明粘着層４を洗浄して除去してから、再び新しい透明粘着層４を透明カバー３の表面に直接塗布して使用することを何回繰り返してもよいし（図３参照）、シート状の透明粘着層４を透明カバー３に直接に貼り付けてもよいし（図４参照）、面ファスナーである例えばマジックテープ（登録商標）４１によりシート状の透明粘着層４を透明カバー３の表面に取り付けてもよいし（図５参照）、固定リング４２によりシート状の透明粘着層４を透明カバー３の表面に嵌めて固定してもいいし（図６参照）、粘着層５１を付けた透明紙５を発光源２の外周に覆ってもよい（図７参照）。蚊などが明るい処へ飛んで行く特性を利用し、発光源２により蚊などを誘惑し、透明粘着層４または粘着層５１により蚊などを粘着し取ることができ、使用が極めて便利である。
【００１９】
本考案に係る蚊取りランプを使用する際には、図２と図３と図７に示すように、まずは、台座１の上の発光源２に電源を入れて発光させ、発射された光線が透明カバー３と透明粘着層４とを通過し、蚊などが明るい処へ飛んで行く特性により、蚊などが発光源２へ飛んで寄り、前記透明粘着層４に当たると、蚊などが粘着して離れることができない。
【００２０】
また、本考案に係る蚊取りランプを使用しないときには、透明カバー３を台座１に取り付けて、透明カバー３により発光源２を保護することができる。
【００２１】
【考案の効果】
本考案には、次のような効果がある。
（イ）本考案は、透明粘着層により蚊などを粘着して取る方法を採用するため、高電圧網と高電圧供給部材との設置が必要なくなり、且つ電気の消耗も少ないため、使用者にとってのランニングコストも極めて低い。
【００２２】
（ロ）本考案は、透明粘着層により蚊などを粘着して取る方法を採用するため、使用者（特に、児童）が誤って高電圧網に接触して感電する危険性がなくなり、安全性が極めて高い。
【００２３】
（ハ）本考案は、透明粘着層により蚊などを粘着して取る方法を採用するため、感電する危険性がないので、別途の邪魔網を設置する必要がなくなり、蚊などを取る範囲がより広くなり、蚊取り効果が向上した。
【００２４】
（ニ）本考案は、透明粘着層により蚊などを粘着して取る方法を採用するため、使用中に音が発生しないので、寝ている使用者は音に起こされることがなくなった。
【００２５】
（ホ）従来の蚊取りランプの構造では、使用者が誤って高電圧網に接触して感電することを回避するために、高電圧網の外周には、一般に隙間の小さい邪魔網が設けてあるが、邪魔網の隙間が小さいので、蚊などが邪魔網に当たり易く、逃げられることが頻発した。本考案に係る蚊取りランプの構造は、完全に透明なカバーの表面に蚊などを取り込むための一透明粘着層を設けることにより、蚊などを取る範囲がもっと広くなり、蚊取り効果が向上した。
【００２６】
（へ）本考案は、透明粘着層により蚊などを粘着して取る方法を採用するため、透明カバーは密封と防水との効果を有するので、湿度の高い環境などでも、本考案に係る蚊取りランプを設置して使用することが可能である。
【図面の簡単な説明】
【図１】本考案の分解状態を示す斜視図である。
【図２】本考案の実施例１の組立てた状態を示す側面断面図である。
【図３】本考案に係る蚊取りランプの使用状態を示す概略図である。
【図４】本考案の実施例２の分解状態を示す斜視図である。
【図５】本考案の実施例３の分解状態を示す斜視図である。
【図６】本考案の実施例４の分解状態を示す斜視図である。
【図７】本考案の実施例５の使用状態を示す概略図である。
【符号の説明】
１　　　　　台座
２　　　　　発光源
２１　　　　保持ロッド
２２　　　　電源ケーブル
３　　　　　透明カバー
４　　　　　透明粘着層
４１　　　　マジックテープ（登録商標）
４２　　　　固定リング
５　　　　　透明紙
５１　　　　粘着層
【図１】
0003096960.tif 000003
【図２】
0003096960.tif 000004
【図３】
0003096960.tif 000005
【図４】
0003096960.tif 000006
【図５】
0003096960.tif 000007
【図６】
0003096960.tif 000008
【図７】
0003096960.tif 000009